【手続補正書】
【提出日】平成17年5月20日(2005.5.20)
【手続補正１】
【補正対象書類名】明細書
【補正対象項目名】発明の名称
【補正方法】変更
【補正の内容】
【発明の名称】無線通信カードおよびシステム
【手続補正２】
【補正対象書類名】明細書
【補正対象項目名】特許請求の範囲
【補正方法】変更
【補正の内容】
【特許請求の範囲】
【請求項１】
ホスト装置に取り外し自在に装着可能に構成された無線通信カードであって、
無線通信装置と、
前記ホスト装置との間のインタフェースを行うインタフェース手段と、
前記インタフェース手段を介して前記ホスト装置から直接的にアクセス可能な制御レジスタを有し、前記ホスト装置によって設定された前記制御レジスタの内容に基づいて、前記インタフェース手段と前記無線通信装置との間の通信を行うシリアル通信コントローラとを具備することを特徴とする無線通信カード。
【請求項２】
前記シリアル通信コントローラは、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）であることを特徴とする請求項１記載の無線通信カード。
【請求項３】
前記無線通信カードの基体表面には複数の電極を含むコネクタ部が設けられており、
前記インタフェース手段は前記コネクタ部を通じて前記ホスト装置との間のインタフェースを行うことを特徴とする請求項１記載の無線通信カード。
【請求項４】
前記ホスト装置が実行すべき前記無線通信カードの制御用プログラムが記憶された不揮発性メモリをさらに具備し、
前記ホスト装置は、前記制御用プログラムに従って前記制御レジスタをアクセスすることにより前記シリアル通信コントローラによる通信を制御することを特徴とする請求項１記載の無線通信カード。
【請求項５】
ホスト装置として使用される携帯型電子機器とこの携帯型電子機器に取り外し自在に装着可能に構成された無線通信カードとを含むシステムであって、
前記無線通信カードは、
産業用バンドを用いて他の１以上の無線装置との間で無線通信を行う無線通信装置と、
前記無線通信カードの基体表面に設けられた複数の電極を含むコネクタ部と、
前記コネクタ部を介して前記ホスト装置と前記無線通信装置との間のインタフェースを行うインタフェース手段であって、前記インタフェース手段を介して前記ホスト装置から直接的にアクセス可能な制御レジスタを有し、前記ホスト装置によって設定された前記制御レジスタの内容に基づいて、前記無線通信装置から送信すべきデータおよび前記無線通信装置によって受信されたデータに関するシリアル通信を前記インタフェース手段と前記無線通信装置との間で行うシリアル通信コントローラと、
前記ホスト装置が実行すべき前記無線通信カードの制御用プログラムが記憶された不揮発性メモリとを具備し、
前記携帯型電子機器は、
前記制御用プログラムに従って前記制御レジスタをアクセスすることにより前記シリアル通信コントローラによる通信を制御する手段を具備することを特徴とするシステム。
【請求項６】
ホスト装置に取り外し自在に装着可能に構成された無線通信カードであって、
プロセッサを内蔵した無線通信装置と、
前記無線通信装置内のプロセッサを動作制御するためのファームウェアを記憶した不揮発性メモリと、
前記ホスト装置との間のインタフェースを行うインタフェース手段と、
前記インタフェース手段および前記無線通信装置にそれぞれに設けられ、前記インタフェース手段と前記無線通信装置との間でデータの送受信を行うシリアル通信コントローラとを具備し、
前記インタフェース手段側のシリアル通信コントローラは、前記インタフェース手段を介して前記ホスト装置から直接的にアクセス可能な制御レジスタを用いて前記ホスト装置によって制御され、
前記無線通信装置側のシリアル通信コントローラは、前記無線通信装置内のプロセッサによって制御されるように構成されていることを特徴とする無線通信カード。
【請求項７】
ホスト装置に取り外し自在に装着可能に構成された無線通信カードであって、
無線通信装置と、
前記ホスト装置との間のインタフェースを行うインタフェース手段であって、前記無線通信カードに設けられている複数のデータピンを用いて前記ホスト装置との間のデータ転送を行う第１モードと前記複数のデータピンの中の特定のデータピンを用いて前記ホスト装置との間のデータ転送を行う第２モードとを有し、前記第１モードまたは前記第２モードによって前記ホスト装置との間の通信を行うインタフェース手段と、
前記第２モードを用いて前記ホスト装置と前記無線通信装置との間の音声信号の送受信を行う手段であって、前記第２モードにおける未使用のデータピンを前記ホスト装置と前記無線通信装置との間の音声信号の送受信に割り当て、前記ホスト装置と前記無線通信装置との間の音声信号の送受信を前記未使用のデータピンを介して行う手段とを具備することを特徴とする無線通信カード。
【請求項８】
前記インタフェース手段と前記無線通信装置との間に設けられ、前記ホスト装置と前記無線通信装置との間で送受信される前記音声信号の復変調を行う音声信号コーデックをさらに具備することを特徴とする請求項７記載の無線通信カード。
【請求項９】
前記第２モードにおける未使用のデータピンを前記ホスト装置と前記無線通信装置との間の音声信号の送受信に割り当てることを禁止または許可する手段をさらに具備することを特徴とする請求項７記載の無線通信カード。
【請求項１０】
ホスト装置として使用される携帯型電子機器に取り外し自在に装着可能に構成された無線通信カードであって、
産業用バンドを用いて他の１以上の無線装置との間で無線通信を行う無線通信装置と、
前記無線通信カードの基体表面に設けられた電極群を含むコネクタ部であって、前記コネクタ部の複数の電極それぞれがデータピンとして定義されているコネクタ部と、
前記コネクタ部を介して前記ホスト装置と前記無線通信装置との間のインタフェースを行うインタフェース手段であって、複数のデータピンを用いて前記ホスト装置との間のデータ転送を行う第１モードと前記複数のデータピンの中の特定のデータピンを用いて前記ホスト装置との間のデータ転送を行う第２モードとを有するインタフェース手段と、
前記インタフェース手段と前記無線通信装置との間に設けられ、前記ホスト装置と前記無線通信装置との間で授受される音声信号の復変調を行う音声信号コーデックと、
前記第２モードにおける未使用のデータピンを前記ホスト装置と前記無線通信装置との間の音声信号の送受信に割り当て、前記未使用のデータピンを介した前記音声信号の送受信を、前記音声信号コーデックと前記ホスト装置との間で実行する手段とを具備することを特徴とする無線通信カード。
【請求項１１】
ホスト装置に取り外し自在に装着可能に構成された無線通信カードであって、
プロセッサを内蔵した無線通信装置と、
前記ホスト装置との間のインタフェースを行うインタフェース手段と、
前記無線通信装置および前記インタフェース手段によって共有され、前記無線通信装置内のプロセッサを動作制御するためのファームウェアと、前記ホスト装置によって参照される前記無線通信カードのカード属性情報とを記憶した単一の不揮発性メモリとを具備することを特徴とする無線通信カード。
【請求項１２】
前記インタフェース手段は、前記無線通信カードの初期化時に、前記カード属性情報を、前記不揮発性メモリから前記インタフェース手段に設けられているメモリに読み込む手段を含み、
前記カード属性情報の読み込み後は前記不揮発性メモリが前記無線通信装置によって専有されるように構成されていることを特徴とする請求項１１記載の無線通信カード。
【請求項１３】
前記インタフェース手段が前記不揮発性メモリをアクセスするための第１のアクセス制御信号と、前記無線通信装置が前記不揮発性メモリをアクセスするための第２のアクセス制御信号とが入力され、前記無線通信カードの初期化時には前記第１のアクセス制御信号を選択して前記不揮発性メモリに供給し、前記カード属性情報の読み込み後は前記第２のアクセス制御信号を選択して前記不揮発性メモリに供給する選択手段をさらに具備することを特徴とする請求項１１記載の無線通信カード。
【請求項１４】
前記不揮発性メモリには、さらに、前記ホスト装置が実行すべき前記無線通信カードの制御用プログラムが記憶されており、
前記制御用プログラムは前記無線通信カードの初期化時に前記インタフェース手段を介して前記ホスト装置にアップロードされることを特徴とする請求項１１記載の無線通信カード。
【請求項１５】
ホスト装置に取り外し自在に装着可能に構成された無線通信カードであって、
無線通信装置と、
前記ホスト装置との間のインタフェースを行うインタフェース手段と、
前記無線通信装置に電気的に接続されるアンテナを収容するために、前記無線通信カードのカード基体に設けられた突出部とを具備し、
前記突出部には、少なくとも前記無線通信装置のＲＦ制御部が前記アンテナと一緒に収容されていることを特徴とする無線通信カード。
【請求項１６】
前記ＲＦ制御部はシールド部材によって覆われていることを特徴とする請求項１５記載の無線通信カード。
【請求項１７】
ホスト装置として使用される携帯型電子機器に取り外し自在に装着可能に構成された無線通信カードであって、
ベースバンド部とＲＦ制御部とを有し、産業用バンドを用いて他の１以上の無線装置との間で無線通信を行う無線通信装置と、
前記無線通信カードの基体表面に設けられた複数の電極を含むコネクタ部と、
前記コネクタ部を介して前記ホスト装置と前記無線通信装置との間のインタフェースを行うインタフェース手段と、
前記携帯型電子機器に収容されたときに前記携帯型電子機器のカード収容部から外部に突出されるように前記無線通信カードのカード基体に設けられ、前記カード収容部に収容される基体部よりも厚く形成された突出部とを具備し、
前記無線通信装置を構成する少なくともＲＦ制御部とそれに接続されるアンテナは前記突出部に収容され、前記ＲＦ制御部は前記突出部内に設けられているシールド部材によって覆われていることを特徴とする無線通信カード。
【請求項１８】
ホスト装置に取り外し自在に装着可能に構成された無線通信カードであって、
無線通信装置と、
前記無線通信カードの基体表面に設けられた複数の電極を含むコネクタ部と、
前記コネクタ部を通じて前記ホスト装置との間のインタフェースを行うインタフェース装置と、
前記無線通信装置および前記インタフェース装置が実装されるプリント基板とを具備し、
前記プリント基板の表裏の両面それぞれには、前記無線通信装置に電気的に接続されるアンテナを実装するための実装領域が設けられていることを特徴とする無線通信カード。
【請求項１９】
ホスト装置に取り外し自在に装着可能に構成された無線通信カードであって、
無線通信装置と、
前記ホスト装置との間のインタフェースを行うインタフェース手段と、
前記無線通信装置による無線信号の送信に連動して点灯制御されるステータス表示器と、
前記インタフェース手段を介して入力される前記ホスト装置からの指示に応じて、前記ステータス表示器の点灯を許可または禁止を制御する制御手段とを具備することを特徴とする無線通信カード。
【請求項２０】
ホスト装置に取り外し自在に装着可能に構成された無線通信カードであって、
無線通信装置と、
前記ホスト装置と前記無線通信装置との間のインタフェースを行うカードインタフェースコントローラと、
前記カードインタフェースコントローラに設けられ、前記無線通信装置との間の通信を行うＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）とを具備することを特徴とする無線通信カード。